(57)【要約】      （修正有）【課題】簡単な構成で組み立てられ、シンプルデザインかつ耐荷重を強化したユニット家具を提供する。【解決手段】ジョイント本体５に設けられた複数の固定軸と複数の支柱１，２と、前記支柱の一方の端部を重ね合わせて、前記端部にそれぞれ軸方向に孔６を設け、前記孔に前記ジョイント本体の固定軸を挿入し、前記固定軸の一方を連結する連結体３とを有し、前記複数の支柱を固定し、シェルフなどのユニット家具を構成できるため、耐荷重を強化できるとともに、簡単に組み立てられる、デザイン性に優れたユニット家具として使用できる。【選択図】図２
0003143436.tif 000002
【実用新案登録請求の範囲】
【請求項１】
ジョイント本体に設けられた複数の固定軸と、複数の支柱と、前記支柱の一方の端部を重ね合わせて、前記端部にそれぞれ軸方向に孔を設け、前記孔に前記ジョイント本体の固定軸を挿入し、前記固定軸の一方を連結する連結体とを有し、前記複数の支柱を固定するユニット家具。
【請求項２】
連結体は、支柱内部の孔の中に設けられた請求項１記載のユニット家具。
【請求項３】
連結体は、固定軸を挿入する孔を有する請求の範囲１〜２項のいずれか１項記載のユニット家具。  
【請求項４】
ジョイント本体の固定軸と反対方向に延長して、支柱と反対方向に第２支柱を複数設けた請求項１〜３のいずれか１項記載のユニット家具。
【請求項５】
複数の支柱を連結したものをさらに複数配置し、それぞれの支柱間に板または棒を設けた請求項１〜４のいずれか１項記載のユニット家具。
【考案の詳細な説明】
【技術分野】
【０００１】
本考案は、連結部並びに連結手法を丸棒の中に隠せる取り外し可能なジョイント金具を使用することで、デザインのシンプル性と商品のコンパクト化を保持することができ、さまざまなバリエーションを作り出すディスプレイシェルフに関するものである。さらにジョイント金具を金属製にし、一番重力がかかる部分をジョイント金具で支えることにより、強度を上げるとともに安心感を与える。
【背景技術】
【０００２】
ジョイント金具を用いて組立家具を構成したものとして、複数の支柱をジョイントにより間隔をおいて連結することによって、連結された支柱を自立可能とし、これらの間に収容部材を掛け渡すことが知られている。
【特許文献１】特開平11-318586号公報
【考案の開示】
【考案が解決しようとする課題】
【０００３】
しかしながら前記の組立家具は、ジョイントの構成が複雑であり、高価格であるという欠点があった。本考案は前述の欠点を改良したもので、簡単な構成で組み立てられ、かつ耐荷重を強化したことを目的とする。
【課題を解決するための手段】
【０００４】
ジョイント本体に設けられた複数の固定軸と、複数の支柱と、支柱の一方の端部を重ね合わせて、端部にそれぞれ軸方向に孔を設け、孔に前記ジョイント本体の固定軸を挿入し、固定軸の一方を連結する連結体とを有し、複数の支柱を固定し、シェルフなどのユニット家具を構成するものである。
【考案の効果】
【０００５】
本考案のユニット家具は、連結部分を隠せるコンパクト、かつ強度のあるジョイント金具を使用することで、複数の支柱を非常にシンプルに連結できるので、簡単・軽量で安価に製造ができ、かつ耐荷重にも優れている。
【考案を実施するための最良の形態】
【０００６】
本発明をディスプレイ家具として応用した実施例を以下に説明する。
【実施例】
【０００７】
以下、添付図面に従って実施例を説明する。図１は、吉野杉・桧の丸棒素材に本考案のジョイント金具を使用し、ディスプレイシェルフとして使用した実施例で、図２は連結部分１１の拡大図である。図１において、上下部分を断面に切断した丸棒左支柱１と丸棒右支柱２に図２に示す３のジョイントピン（連結体）を差込み、三角に組み合わせ、上からシャフト（固定軸）５ａを有する５ｂのジョイントキャップをはめ込み、６のネジ止め穴から六角レンチを入れ４のホーローネジを締める。ジョイントキャップ５ａとシャフト５ｂとでジョイント本体５を形成する。ジョイントキャップ５ａとシャフト５ｂとは、それぞれ別の部材で構成し、結合させてもよい。
【０００８】
ジョイントピン３の２つの孔にジョイントキャップ５の２つのシャフトが入り、ホーローネジ４と４ａで締めることにより、ジョイント本体５とジョイントピン３が固定される。そうすることにより１の丸棒左支柱と２の丸棒右支柱の広がりを押さえることができ、三角形のシェルフとして組みあがったときに、荷重強度が増すとともに、安定感をもたらす。
【０００９】
図１の１ａと２ａを支柱とする三角シェルフと１ｃと２ｃを支柱とする逆三角形のシェルフを上下に連結する場合について述べる。図３は図１の連結部分１２の拡大図である。まず、１ａと２ａの丸棒支柱に３のジョイントピン（連結体）を差込み、三角に組み合わせ、８のジョイントシャフト（固定軸）を片方に差し込む。そして６のネジ止め穴から六角レンチを入れ、４ｂのホーローネジを締め、ジョイントシャフトを固定する。同じ手法で、１ｃと２ｃの丸棒支柱を組み、先に組み立てたのとは違うもう片方の穴に８ａのジョイントシャフトを差込み、４ａのホーローネジを固定させる。そして出来上がった１ａと２ａを支柱とする三角シェルフの上に、１ｃと２ｃを支柱とする三角シェルフを逆さまにし、間に７のジョイントリングを挟み上下連結をし、ジョイントシャフトを固定していない２ヶ所の部分（４と４ｃ）のホーローネジを締め固定する。ジョイントリング７とジョイントシャフト８とでジョイント本体14を形成する。図１の１ｂと２ｂを支柱とする三角シェルフに１ｄの丸棒シェルフを連結する場合も０００９で説明した同じ手法で組み立てることができ、１０のハンガー掛け棒を設置することによりハンガーラックとしても使用可能である。図４は１３の部分断面図である。
図１のように組み立てた三角シェルフを複数並べてディスプレイシェルフとして使用する場合は、支柱の下の断面部分にあけてある孔にピンを入れて連結することで、安定感のある連続性のあるデザイン性に優れたシェルフとして使用できる。
図１に示す１３の連結パターンで組み立てたシェルフは、ガラスを掛けたり、小物を掛けるインテリシェルフとしても使用できる。また、横幅を広げることによりパーテーション機能をもったシェルフとしても展開できる。
【産業上の利用可能性】
【００１０】
連結部分の木材の硬度をあげることができれば、スケールの大きな家具や住宅用材としても利用可能になり、デザインの幅が広がると同時に、間伐材の利用促進にも繋がる。
【図面の簡単な説明】
【００１１】
【図１】本考案を、ディスプレイ用シェルフとした実施例を示す斜面図。
【図２】同連結部分の部分断面図。
【図３】他の実施例の連結部分の部分断面図。
【図４】同連結部分の部分断面図。
【符号の説明】
【００１２】
１    丸棒左支柱
２    丸棒右支柱
３    ジョイントピン（連結体）
４    ホーローネジ
５    ジョイン本体
５ｂ  シャフト（固定軸）
６    タップ使用レンチ穴
７    ジョイントリング
８    ジョイントシャフト（固定軸）
９    棚板（板）
１０  ハンガー掛け棒
１４  ジョイント本体
【図１】
0003143436.tif 000003
【図２】
0003143436.tif 000004
【図３】
0003143436.tif 000005
【図４】
0003143436.tif 000006